(57)【要約】【課題】所定の微小重畳領域において面内光強度分布が均一化された光を得ることが可能であり、また、蛍光層等を備える場合にも一層高輝度の光を射出することが可能な光源装置を提供する。【解決手段】複数の固体光源２４と、複数のコリメーターレンズ３２と、複数の第１マイクロレンズ５１を有する第１マイクロレンズアレイ５０、複数の第２マイクロレンズ６１を有する第２マイクロレンズアレイ６０及び複数の部分光束を所定の微小重畳領域に重畳させる重畳光学系７０を有するインテグレーター光学系４０とを備える光源装置であって、第１マイクロレンズアレイ５０及び第２マイクロレンズアレイ６０は、各マイクロレンズ５１，６１における凸面に接して配設され各マイクロレンズ５１，６１の屈折率と空気の屈折率との中間の屈折率を有する第１屈折力低減層５８及び第２屈折力低減層６８をそれぞれ有する光源装置１０。【選択図】図１
2012063488.tif 000002
【特許請求の範囲】
【請求項１】
複数の固体光源と、
前記複数の固体光源のそれぞれに対応して設けられ、前記複数の固体光源で生成された光をそれぞれ略平行化する複数のコリメーターレンズと、
前記複数のコリメーターレンズの個数よりも多い複数の第１マイクロレンズを有する第１マイクロレンズアレイ、前記複数の第１マイクロレンズに対応する複数の第２マイクロレンズを有する第２マイクロレンズアレイ及び前記複数の第２マイクロレンズからの複数の部分光束を所定の微小重畳領域に重畳させる重畳光学系を有するインテグレーター光学系とを備える光源装置であって、
前記第１マイクロレンズアレイは、前記複数の第１マイクロレンズとして複数の平凸マイクロレンズを有するとともに、前記複数の第１マイクロレンズにおける凸面に接して配設され前記第１マイクロレンズの屈折率と空気の屈折率との中間の屈折率を有する第１屈折力低減層をさらに有し、
前記第２マイクロレンズアレイは、前記複数の第２マイクロレンズとして複数の平凸マイクロレンズを有するとともに、前記複数の第２マイクロレンズにおける凸面に接して配設され前記第２マイクロレンズの屈折率と空気の屈折率との中間の屈折率を有する第２屈折力低減層をさらに有することを特徴とする光源装置。
【請求項２】
請求項１に記載の光源装置において、
前記第１屈折力低減層の屈折率をｎａ１とし、前記第２屈折力低減層の屈折率をｎａ２とし、前記第１マイクロレンズの屈折率をｎｂ１とし、前記第２マイクロレンズの屈折率をｎｂ２とするとき、「０＜ｎｂ１−ｎａ１＜０．１」かつ「０＜ｎｂ２−ｎａ２＜０．１」の関係を満たすことを特徴とする光源装置。
【請求項３】
請求項１又は２に記載の光源装置において、
前記固体光源は、半導体レーザーからなることを特徴とする光源装置。
【請求項４】
請求項１〜３のいずれかに記載の光源装置において、
前記微小重畳領域は、一辺１ｍｍの正方形に包含される大きさを有することを特徴とする光源装置。
【請求項５】
請求項１〜４のいずれかに記載の光源装置において、
前記第１マイクロレンズ及び第２マイクロレンズの個数は、前記コリメーターレンズの個数の１００倍以上あることを特徴とする光源装置。
【請求項６】
請求項１〜５のいずれかに記載の光源装置において、
前記インテグレーター光学系からの光が重畳する位置又は当該位置の近傍に位置し、前記重畳光学系からの光の一部又は全部から蛍光を生成する蛍光層をさらに備えることを特徴とする光源装置。
【請求項７】
請求項１〜５のいずれかに記載の光源装置において、
前記インテグレーター光学系からの光が重畳する位置又は当該位置の近傍に位置し、前記重畳光学系からの光を拡散させながら通過させる透過型拡散手段をさらに備えることを特徴とする光源装置。
【請求項８】
請求項１〜７のいずれかに記載の光源装置を備える照明装置と、
前記照明装置からの光を画像情報に応じて変調する光変調装置と、
前記光変調装置からの光を投写する投写光学系とを備えることを特徴とするプロジェクター。
【発明の詳細な説明】
【技術分野】
【０００１】
本発明は、光源装置及びプロジェクターに関する。
【背景技術】
【０００２】
従来、複数の固体光源と、複数の固体光源のそれぞれに対応して設けられ、複数の固体光源で生成された光をそれぞれ略平行化する複数のコリメーターレンズと、当該複数のコリメーターレンズの個数よりも多い複数の第１マイクロレンズを有する第１マイクロレンズアレイ、当該複数の第１マイクロレンズに対応する複数の第２マイクロレンズを有する第２マイクロレンズアレイ及び第２マイクロレンズアレイからの複数の部分光束を所定の重畳領域に重畳させる重畳光学系を有するインテグレーター光学系とを備え、所定の重畳領域に配置した光変調装置に光を入射させる光源装置が知られている。また、このような光源装置を備えるプロジェクターが知られている（例えば、特許文献１参照。）。
従来の光源装置によれば、複数の固体光源を備えるため、高輝度の光を射出することが可能となる。また、従来の光源装置によれば、上記したインテグレーター光学系を備えるため、上記したように、高輝度の光を射出するために複数の固体光源を用いた場合であっても、所定の重畳領域において面内光強度分布が均一化された光を得ることが可能となる。
【先行技術文献】
【特許文献】
【０００３】
【特許文献１】特開２００４−２２００１６号公報
【発明の概要】
【発明が解決しようとする課題】
【０００４】
したがって、「面内光強度分布が均一化された光」を、光源装置内に配置した蛍光層等に入射させれば、光が入射する領域の一部に過大な熱的負荷がかかることがなくなる。このため、蛍光層等に多くの光を入射させることが可能となり、その結果、蛍光層等を備える場合にも一層高輝度の光を射出することが可能な光源装置となると考えられる。
そこで、本発明の発明者らは、従来の光源装置における各光学要素の焦点距離を変更（例えば、重畳光学系の焦点距離を短くする等）して「従来の光源装置における重畳領域よりも小さな微小重畳領域」に光を重畳させるようにした上で、当該微小重畳領域に蛍光層等を配置することを考えた。
【０００５】
しかしながら、上記のような構成においては、後述する比較例に示すように、「各マイクロレンズにおいて必要とされる近軸曲率半径」が大きくなりすぎてインテグレーター光学系の製造が著しく困難となるため、所定の微小重畳領域において面内光強度分布が均一化された光を得ることができず、したがって、蛍光層等を備える場合に一層高輝度の光を射出することができないという問題が発生することが判明した。
【０００６】
そこで、本発明は上記した問題を解決するためになされたもので、高輝度の光を射出することが可能であり、所定の微小重畳領域において面内光強度分布が均一化された光を得ることが可能であり、また、蛍光層等を備える場合にも一層高輝度の光を射出することが可能な光源装置を提供することを目的とする。また、このような光源装置を備え、高輝度で明るさムラの少ない投写画像を投写可能なプロジェクターを提供することを目的とする。
【課題を解決するための手段】
【０００７】
［１］本発明の光源装置は、複数の固体光源と、前記複数の固体光源のそれぞれに対応して設けられ、前記複数の固体光源で生成された光をそれぞれ略平行化する複数のコリメーターレンズと、前記複数のコリメーターレンズの個数よりも多い複数の第１マイクロレンズを有する第１マイクロレンズアレイ、前記複数の第１マイクロレンズに対応する複数の第２マイクロレンズを有する第２マイクロレンズアレイ及び前記第２マイクロレンズアレイからの複数の部分光束を所定の微小重畳領域に重畳させる重畳光学系を有するインテグレーター光学系とを備える光源装置であって、前記第１マイクロレンズアレイは、前記複数の第１マイクロレンズとして複数の平凸マイクロレンズを有するとともに、前記複数の第１マイクロレンズにおける凸面に接して配設され前記第１マイクロレンズの屈折率と空気の屈折率との中間の屈折率を有する第１屈折力低減層をさらに有し、前記第２マイクロレンズアレイは、前記複数の第２マイクロレンズとして複数の平凸マイクロレンズを有するとともに、前記複数の第２マイクロレンズにおける凸面に接して配設され前記第２マイクロレンズの屈折率と空気の屈折率との中間の屈折率を有する第２屈折力低減層をさらに有することを特徴とする。
【０００８】
このため、本発明の光源装置によれば、複数の固体光源を備えるため、従来の光源装置と同様に、高輝度の光を射出することが可能となる。
【０００９】
また、本発明の光源装置によれば、複数のコリメーターレンズの個数よりも多い複数の第１マイクロレンズを有する第１マイクロレンズアレイ、複数の第１マイクロレンズに対応する複数の第２マイクロレンズを有する第２マイクロレンズアレイ及び第２マイクロレンズアレイからの複数の部分光束を所定の微小重畳領域に重畳させる重畳光学系を有し、第１マイクロレンズアレイは、複数の第１マイクロレンズにおける凸面に接して配設され第１マイクロレンズの屈折率と空気の屈折率との中間の屈折率を有する第１屈折力低減層をさらに有し、第２マイクロレンズアレイは、複数の第２マイクロレンズにおける凸面に接して配設され第２マイクロレンズの屈折率と空気の屈折率との中間の屈折率を有する第２屈折力低減層をさらに有するインテグレーター光学系を備えるため、各屈折力低減層の介在で「各マイクロレンズにおいて必要とされる近軸曲率半径」が小さくなることによりインテグレーター光学系の製造が可能となり、その結果、所定の微小重畳領域において面内光強度分布が均一化された光を得ることが可能となる。
【００１０】
また、本発明の光源装置によれば、上記のインテグレーター光学系を備えるため、光が入射する領域の一部に過大な熱的負荷がかかることがなくなり、よって、蛍光層等に多くの光を入射させることが可能となり、その結果、蛍光層等を備える場合にも一層高輝度の光を射出することが可能となる。
【００１１】
したがって、本発明の光源装置は、高輝度の光を射出することが可能であり、所定の微小重畳領域において面内光強度分布が均一化された光を得ることが可能であり、また、蛍光層等を備える場合にも一層高輝度の光を射出することが可能な光源装置となる。
【００１２】
なお、本発明において「マイクロレンズアレイ」とは、複数のマイクロレンズが所定の平面に沿って配置されているもののことをいう。
【００１３】
本発明の光源装置においては、各マイクロレンズの近軸曲率半径は、１ｍｍ以下であることが好ましい。このような構成とすることにより、インテグレーター光学系の製造を十分に容易なものとすることが可能となる。
【００１４】
また、本発明の光源装置においては、各マイクロレンズの曲率係数をＫとするとき、各マイクロレンズの凸面は、「−１．１≦Ｋ≦−０．９」を満たす（つまり、放物面又は放物面近似曲面である）ことが好ましい。このような構成とすることにより、所定の微小重畳領域において面内光強度分布が一層均一化された光を射出することが可能となる。
【００１５】
本発明の光源装置においては、第１マイクロレンズの凸面と第２マイクロレンズの凸面とが向かい合って配置されている場合には、第１屈折力低減層であり、かつ、第２屈折力低減層でもある（つまり、第１マイクロレンズアレイと第２マイクロレンズアレイとの間を充填する）１つの屈折力低減層を用いることもできる。
【００１６】
［２］本発明の光源装置においては、前記第１屈折力低減層の屈折率をｎａ１とし、前記第２屈折力低減層の屈折率をｎａ２とし、前記第１マイクロレンズの屈折率をｎｂ１とし、前記第２マイクロレンズの屈折率をｎｂ２とするとき、「０＜ｎｂ１−ｎａ１＜０．１」かつ「０＜ｎｂ２−ｎａ２＜０．１」の関係を満たすことが好ましい。
【００１７】
このような構成とすることにより、各マイクロレンズの近軸曲率半径を適切なものとしてインテグレーター光学系の製造を一層容易なものとすることが可能となる。
【００１８】
上記の場合においては、「０．００１＜ｎｂ１−ｎａ１＜０．０５」かつ「０．００１＜ｎｂ２−ｎａ２＜０．０５」の関係を満たすことがさらに好ましい。
【００１９】
［３］本発明の光源装置においては、前記固体光源は、半導体レーザーからなることが好ましい。
【００２０】
半導体レーザーは小型で高出力であるため、このような半導体レーザーを高密度で集積することにより、小型で高出力な光源装置とすることが可能となる。
【００２１】
［４］本発明の光源装置においては、前記微小重畳領域は、一辺１ｍｍの正方形に包含される大きさを有することが好ましい。
【００２２】
このような構成とすることにより、微小重畳領域の面積を十分に小さいものとして、微小重畳領域が広すぎることに起因する光源装置の光利用効率の低下を抑制することが可能となる。
【００２３】
ところで、光を重畳させる対象（蛍光層等）の種類によっては、重畳させた光が滲んで広がってしまうことがあるため、この観点からは、微小重畳領域は、一辺０．８ｍｍの正方形に包含される大きさを有することがさらに好ましい。
【００２４】
［５］本発明の光源装置においては、前記第１マイクロレンズ及び第２マイクロレンズの個数は、前記コリメーターレンズの個数の１００倍以上あることが好ましい。
【００２５】
このような構成とすることにより、コリメーターレンズからの光を十分な数の部分光束に分割することが可能となり、その結果、所定の重畳位置において面内光強度分布がより一層均一化された光を得ることが可能となる。
【００２６】
なお、上記の観点からは、前記第１マイクロレンズ及び第２マイクロレンズの個数は、前記コリメーターレンズの個数の４００倍以上あることがさらに好ましい。
【００２７】
［６］本発明の光源装置においては、前記インテグレーター光学系からの光が重畳する位置又は当該位置の近傍に位置し、前記重畳光学系からの光の一部又は全部から蛍光を生成する蛍光層をさらに備えることが好ましい。
【００２８】
このような構成とすることにより、特定の色光を生成する固体光源を用いて、所望の色光を得ることが可能となる。
なお、上記の構成は、光源装置の後段にレンズインテグレーター光学系を配置して光の面内光強度分布を均一化する際には特に有効である。
【００２９】
上記の場合においては、蛍光層がインテグレーター光学系からの光が重畳する位置に位置することがさらに好ましい。
【００３０】
なお、上記のような構成とすることにより、蛍光層には所定の微小重畳領域において面内光強度分布が均一化された光が入射するため、光が入射する領域の一部に過大な熱的負荷がかかることがなくなる。
【００３１】
［７］本発明の光源装置においては、前記インテグレーター光学系からの光が重畳する位置又は当該位置の近傍に位置し、前記重畳光学系からの光を拡散させながら通過させる透過型拡散手段をさらに備えることが好ましい。
【００３２】
このような構成とすることにより、特定の色光を生成する固体光源からの色光をそのまま、様々な用途において高い光利用効率で利用することが可能となる。
なお、上記の構成も、光源装置の後段にレンズインテグレーター光学系を配置して光の面内光強度分布を均一化する際には特に有効である。
【００３３】
上記の場合においては、透過型拡散手段がインテグレーター光学系からの光が重畳する位置に位置することがさらに好ましい。
【００３４】
透過型拡散手段としては、例えば、マイクロレンズ拡散板、ホログラフィック拡散板、磨りガラス等を用いることができる。
【００３５】
なお、上記のような構成とすることにより、透過型拡散手段には所定の微小重畳領域において面内光強度分布が均一化された光が入射するため、光が入射する領域の一部に過大な熱的負荷がかかることがなくなる。
【００３６】
［８］本発明のプロジェクターは、本発明の光源装置を備える照明装置と、前記照明装置からの光を画像情報に応じて変調する光変調装置と、前記光変調装置からの光を投写する投写光学系とを備えることを特徴とする。
【００３７】
このため、本発明のプロジェクターは、高輝度の光を射出することが可能であり、複数の固体光源を用いても、所定の微小重畳領域において面内光強度分布が均一化された光を得ることが可能であり、また、微小重畳領域に光を重畳させて一層高輝度な光を射出することが可能な光源装置を備えるため、高輝度で明るさムラの少ない投写画像を投写可能なプロジェクターとなる。
【図面の簡単な説明】
【００３８】
【図１】実施形態に係るプロジェクター１０００の光学系を示す平面図。
【図２】実施形態における固体光源アレイ２０をコリメーターレンズアレイ３０側から見た図。
【図３】実施形態における固体光源２４の発光強度特性及び蛍光体の発光強度特性を示すグラフ。
【図４】実施形態における第１マイクロレンズアレイ５０の部分拡大斜視図。
【図５】実施形態における第１マイクロレンズアレイ５０及び第２マイクロレンズアレイ６０を説明するために示す図。
【図６】比較例における第１マイクロレンズ５１ａの側面図。
【図７】試験例１における第１マイクロレンズ５１ｂ及び第１屈折力低減層５８ｂの側面図。
【図８】試験例２における第１マイクロレンズ５１ｃ及び第１屈折力低減層５８ｃの側面図。
【図９】試験例３におけるインテグレーター光学系４０ｄ（図示せず。）による重畳の様子を示す図。
【図１０】変形例１における第１マイクロレンズアレイ５３の部分拡大斜視図。
【図１１】変形例２に係る光源装置１４の光学系を示す平面図。
【図１２】変形例３に係る光源装置１６の光学系を示す平面図。
【図１３】変形例４に係る光源装置１８の光学系を示す平面図。
【発明を実施するための形態】
【００３９】
以下、本発明の光源装置及びプロジェクターについて、図に示す実施の形態に基づいて説明する。
【００４０】
［実施形態］
図１は、実施形態に係るプロジェクター１０００の光学系を示す平面図である。なお、図１においては、各マイクロレンズの向きをわかりやすくするために、各マイクロレンズを拡大して表示している。後述する図１１〜図１３においても同様である。
図２は、実施形態における固体光源アレイ２０をコリメーターレンズアレイ３０側から見た図である。
図３は、実施形態における固体光源２４の発光強度特性及び蛍光体の発光強度特性を示すグラフである。図３（ａ）は固体光源２４の発光強度特性を示すグラフであり、図３（ｂ）は蛍光層８４が含有する蛍光体の発光強度特性を示すグラフである。発光強度特性とは、光源であれば電圧を印加したときに、蛍光体であれば励起光が入射したときに、どのような波長の光をどの位の強度で射出するのかという特性のことをいう。グラフの縦軸は相対発光強度を表し、発光強度が最も強い波長における発光強度を１としている。グラフの横軸は波長を表す。
【００４１】
図４は、実施形態における第１マイクロレンズアレイ５０の部分拡大斜視図である。
図５は、実施形態における第１マイクロレンズアレイ５０及び第２マイクロレンズアレイ６０を説明するために示す図である。
なお、光学系や各光学要素を説明する図面においては、互いに直交する３つの方向をそれぞれｚ軸方向（図１における照明光軸１００ａｘ方向）、ｘ軸方向（図１における紙面に平行かつｚ軸に垂直な方向）及びｙ軸方向（図１における紙面に垂直かつｚ軸に垂直な方向）として表示する。
【００４２】
実施形態に係るプロジェクター１０００は、図１に示すように、照明装置１００と、色分離導光光学系２００と、光変調装置としての３つの液晶光変調装置４００Ｒ，４００Ｇ，４００Ｂと、クロスダイクロイックプリズム５００と、投写光学系６００とを備える。
照明装置１００は、光源装置１０と、レンズインテグレーター光学系１１０とを備える。照明装置１００は、照明光として赤色光、緑色光及び青色光を含む光（つまり、白色光として用いることができる光）を射出する。
【００４３】
光源装置１０は、固体光源アレイ２０と、コリメーターレンズアレイ３０と、インテグレーター光学系４０と、蛍光生成部８０と、コリメーター光学系９０とを備える。
【００４４】
固体光源アレイ２０は、図１及び図２に示すように、複数の固体光源を有する。具体的には、基板２２及び２５個の固体光源２４（１つにのみ符号を図示）を有する。固体光源アレイ２０においては、図２に示すように、２５個の固体光源２４が５行５列のマトリクス状に配置されている。
なお、本発明の光源装置においては、固体光源の数は複数（２個以上）であればよく、２５個に限定されるものではない。また、複数の固体光源は離散的に配置されていてもよい。
【００４５】
基板２２は、固体光源２４を搭載する機能を有する。詳細な説明は省略するが、基板２２は、固体光源２４への電力の供給を仲介する機能や、固体光源２４で発生する熱を放熱する機能等を併せて有する。
【００４６】
固体光源２４は、励起光と色光とを兼ねる青色光（発光強度のピーク：約４６０ｎｍ、図３（ａ）参照。）を生成する半導体レーザーからなる。当該半導体レーザーは、図２に示すように、長方形形状の発光領域を有し、発光領域の短辺方向に沿った拡がり角が発光領域の長辺方向に沿った拡がり角より大きくなるように構成されている。
【００４７】
コリメーターレンズアレイ３０は、図１に示すように、２５個の固体光源２４のそれぞれに対応して設けられ、２５個の固体光源２４で生成された光をそれぞれ略平行化する２５個のコリメーターレンズ３２（１つにのみ符号を図示。）を有する。２５個のコリメーターレンズ３２は、２５個の固体光源２４に対応するように、５行５列のマトリクス状に配置されている。コリメーターレンズ３２は、例えば、入射面が双曲面で、かつ、射出面が平面の非球面平凸レンズからなる。
なお、本発明の光源装置においては、コリメーターレンズの数は固体光源の数に対応していればよく、２５個に限定されるものではない。また、各コリメーターレンズは離散的に配置されていてもよい。
コリメーターレンズ３２は、固体光源２４からの光を５．４６ｍｍ×５．４６ｍｍの範囲内に収まるように略平行化する。
【００４８】
インテグレーター光学系４０は、第１マイクロレンズアレイ５０と、第２マイクロレンズアレイ６０と、重畳光学系７０とを備える。また、第１マイクロレンズアレイ５０と、第２マイクロレンズアレイ６０とは、白板ガラス（Ｂ２７０）からなる連結部４１により連結されている。
【００４９】
第１マイクロレンズアレイ５０は、図１及び図５に示すように、複数のマイクロレンズ５１及び第１屈折力低減層５８を有する。
複数の第１マイクロレンズ５１（１つにのみ符号を図示。）の個数は、複数のコリメーターレンズ３２の個数よりも多い。具体的には、第１マイクロレンズ５１の個数は６０８４００個、つまり、１つのコリメーターレンズ３２に対して２４３３６個（１５６×１５６個）であり、これは、「第１マイクロレンズの個数は、コリメーターレンズの個数の１００倍以上ある」という条件を満たす。
第１マイクロレンズアレイ５０は、コリメーターレンズアレイ３０からの光を複数の部分光束に分割する。
【００５０】
複数の第１マイクロレンズ５１は、図４に示すように、いわゆる格子配列で配列されている。第１マイクロレンズ５１のピッチは、３５μｍである。
複数の第１マイクロレンズ５１は、複数の平凸マイクロレンズからなる。複数の第１マイクロレンズ５１の射出面は、第１マイクロレンズ５１の曲率係数をＫ１とするとき、「Ｋ１＝−０．９９」の放物面近似曲面（楕円面）である。これは、「−１．１≦Ｋ１≦−０．９」の条件を満たす。
また、第１マイクロレンズ５１の近軸曲率半径は０．１６ｍｍであり、つまり、近軸曲率半径が１ｍｍ以下という条件を満たす。
複数の第１マイクロレンズ５１は、第１マイクロレンズ５１の屈折率をｎｂ１とするとき、「ｎｂ１＝１．５２３」となる白板ガラス（Ｂ２７０）からなる。
第１マイクロレンズ５１の焦点距離は、３．０ｍｍである。
【００５１】
第１屈折力低減層５８は、複数の第１マイクロレンズ５１における凸面に接して配設され、第１マイクロレンズ５１の屈折率と空気の屈折率との中間の屈折率を有する。
第１屈折力低減層５８は、第１屈折力低減層５８の屈折率をｎａ１とするとき、「ｎａ１＝１．５１６３３」となる光学ガラス（ＢＫ７）からなる。
よって、「ｎｂ１−ｎａ１＝０．００６６７」となり、これは、「０＜ｎｂ１−ｎａ１＜０．１」の関係を満たす。
【００５２】
第２マイクロレンズアレイ６０は、図１及び図５に示すように、複数のマイクロレンズ６１及び第２屈折力低減層６８を有する。
複数の第２マイクロレンズ６１は、複数の第１マイクロレンズ５１に対応する。
複数の第２マイクロレンズ６１は、複数の第２マイクロレンズ５１と基本的に同様の構成を有するため、構成についての詳細な説明は省略する。また、第２屈折力低減層６８は、第１屈折力低減層５８と基本的に同様の構成を有するため、構成についての詳細な説明は省略する。
【００５３】
上記のことから、第２マイクロレンズアレイ６０及び第２マイクロレンズ６１は、以下の条件を満たす。
すなわち、「第２マイクロレンズの個数は、コリメーターレンズの個数の１００倍以上ある」という条件を満たす。
また、第２マイクロレンズ６１の曲率係数をＫ２とするとき、「Ｋ２＝−０．９９」の放物面近似曲面（楕円面）であり、「−１．１≦Ｋ２≦−０．９」の条件を満たす。
また、第２マイクロレンズ６１の近軸曲率半径は０．１６ｍｍであり、つまり、近軸曲率半径が１ｍｍ以下という条件を満たす。
また、複数の第２マイクロレンズ６１は、第２マイクロレンズ６１の屈折率をｎｂ２とするとき、「ｎｂ２＝１．５２３」となる白板ガラス（Ｂ２７０）からなり、第２屈折力低減層６８は、第２屈折力低減層６８の屈折率をｎａ２とするとき、「ｎａ２＝１．５１６３３」となる光学ガラス（ＢＫ７）からなるため、「ｎｂ２−ｎａ２＝０．００６６７」となり、これは、「０＜ｎｂ２−ｎａ２＜０．１」の関係を満たす。
【００５４】
実施形態におけるインテグレーター光学系４０においては、第１マクロレンズアレイ５０と第２マイクロレンズアレイ６０とは、第１マイクロレンズ５１の凸面と第２マイクロレンズ６１の凸面とが反対側を向くように配置されている。
【００５５】
重畳光学系７０は、第２マイクロレンズアレイ６０からの複数の部分光束を所定の微小重畳領域に重畳させる。重畳光学系７０は、例えば、入射面が平面で、かつ、射出面が双曲面の非球面平凸レンズからなる。重畳光学系７０の焦点距離は、６０ｍｍである。
図示による詳しい説明は省略するが、上記のインテグレーター光学系４０による微小重畳領域は、一辺０．７ｍｍの正方形に包含される大きさである。
【００５６】
蛍光生成部８０は、透明部材８２及び蛍光層８４を有する。蛍光生成部８０は、全体として正方形の板状の形状を有し、所定の位置（図１参照。）に固定されている。
透明部材８２は、蛍光層８４を担持する。透明部材８２は、例えば、光学ガラスからなる。なお、透明部材上には、インテグレーター光学系からの光を通過させ、蛍光（後述）を反射する層（例えば、誘電体多層膜）が形成されていてもよい。
【００５７】
蛍光層８４は、インテグレーター光学系４０からの光が重畳する位置に位置し、インテグレーター光学系４０からの光の一部から赤色光（発光強度のピーク：約６１０ｎｍ）及び緑色光（発光強度のピーク：約５５０ｎｍ）を含む蛍光を生成する（図３（ｂ）参照。）。
このため、蛍光生成部８０は、蛍光の生成に関わることなく蛍光層８４を通過する青色光を蛍光（赤色光及び緑色光）とともに含む光（つまり、白色光として用いることが可能な光）を射出する。
【００５８】
蛍光層８４は、ＹＡＧ系蛍光体である（Ｙ，Ｇｄ）３（Ａｌ，Ｇａ）５Ｏ１２：Ｃｅを含有する層からなる。なお、蛍光層としては、他の蛍光体（上記以外のＹＡＧ系蛍光体、シリケート系蛍光体、ＴＡＧ系蛍光体等）を含有する蛍光層を用いることもできる。また、蛍光層として、集光光学系からの光を赤色光に変換する蛍光体（例えばＣａＡｌＳｉＮ３赤色蛍光体）と、集光光学系からの光を緑色に変換する蛍光体（例えばβサイアロン緑色蛍光体）とを含有する蛍光層を用いることもできる。
なお、蛍光の生成に関わることなく蛍光層８４を通過する一部の青色光は、蛍光とともに射出される。このとき、青色光は蛍光層８４中で散乱又は反射されるため、蛍光とほぼ同様の分布（いわゆるランバーシャン分布）特性を有する光として蛍光生成部８０から射出される。
【００５９】
コリメーター光学系９０は、蛍光生成部８０からの光を略平行化する。コリメーター光学系９０は、図１に示すように、第１レンズ９２及び第２レンズ９４を備える。
第１レンズ９２及び第２レンズ９４は、両凸レンズからなる。なお、第１レンズ及び第２レンズの形状は、上記形状に限定されるものではなく、第１レンズと第２レンズとからなるコリメーター光学系が、蛍光生成部からの光を略平行化することが可能な形状であればよい。また、コリメーター光学系を構成するレンズの枚数は、１枚であってもよく、３枚以上であってもよい。
【００６０】
レンズインテグレーター光学系１１０は、第１レンズアレイ１２０、第２レンズアレイ１３０、偏光変換素子１４０及び重畳レンズ１５０を備える。
なお、インテグレーターロッドを備えるロッドインテグレーター光学系を、レンズインテグレーター光学系の代わりに用いることもできる。
【００６１】
第１レンズアレイ１２０は、図１に示すように、光源装置１０からの光を複数の部分光束に分割するための複数の第１小レンズ１２２を有する。第１レンズアレイ１２０は、光源装置１０からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶光変調装置４００Ｒ，４００Ｇ，４００Ｂの画像形成領域の外形形状に関して略相似形である。
【００６２】
第２レンズアレイ１３０は、第１レンズアレイ１２０における複数の第１小レンズ１２２に対応する複数の第２小レンズ１３２を有する。第２レンズアレイ１３０は、重畳レンズ１５０とともに、各第１小レンズ１２２の像を液晶光変調装置４００Ｒ，４００Ｇ，４００Ｂの画像形成領域近傍に結像させる機能を有する。第２レンズアレイ１３０は、複数の第２小レンズ１３２が照明光軸１００ａｘに直交する面内に複数行・複数列のマトリクス状に配列された構成を有する。
【００６３】
偏光変換素子１４０は、第１レンズアレイ１２０により分割された各部分光束を、偏光方向の揃った略１種類の直線偏光からなる光として射出する偏光変換素子である。
偏光変換素子１４０は、光源装置１０からの光に含まれる偏光成分のうち一方の直線偏光成分をそのまま透過し、他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有している。
【００６４】
重畳レンズ１５０は、偏光変換素子１４０からの各部分光束を集光して液晶光変調装置４００Ｒ，４００Ｇ，４００Ｂの画像形成領域近傍に重畳させるための光学素子である。重畳レンズ１５０は、重畳レンズ１５０の光軸と照明光軸１００ａｘとが略一致するように配置されている。なお、重畳レンズは、複数のレンズを組み合わせた複合レンズで構成されていてもよい。
【００６５】
色分離導光光学系２００は、ダイクロイックミラー２１０，２２０、反射ミラー２３０，２４０，２５０及びリレーレンズ２６０，２７０を備える。色分離導光光学系２００は、照明装置１００からの光を赤色光、緑色光及び青色光に分離するとともに、赤色光、緑色光及び青色光をそれぞれ照明対象となる液晶光変調装置４００Ｒ，４００Ｇ，４００Ｂに導光する機能を有する。
色分離導光光学系２００と、液晶光変調装置４００Ｒ，４００Ｇ，４００Ｂとの間には、集光レンズ３００Ｒ，３００Ｇ，３００Ｂが配置されている。
【００６６】
ダイクロイックミラー２１０，２２０においては、基板上に、所定の波長領域の光を反射して、他の波長領域の光を通過させる波長選択透過膜が形成されている。
ダイクロイックミラー２１０は、赤色光成分を反射して、緑色光及び青色光成分を通過させる。
ダイクロイックミラー２２０は、緑色光成分を反射して、青色光成分を通過させる。
【００６７】
ダイクロイックミラー２１０で反射された赤色光は、反射ミラー２３０で反射され、集光レンズ３００Ｒを通過して赤色光用の液晶光変調装置４００Ｒの画像形成領域に入射する。
ダイクロイックミラー２１０を青色光とともに通過した緑色光は、ダイクロイックミラー２２０で反射され、集光レンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、集光レンズ３００Ｂを経て青色光用の液晶光変調装置４００Ｂの画像形成領域に入射する。リレーレンズ２６０，２７０及び反射ミラー２４０，２５０は、ダイクロイックミラー２２０を通過した青色光成分を液晶光変調装置４００Ｂまで導く機能を有する。
【００６８】
なお、青色光の光路にこのようなリレーレンズ２６０，２７０が設けられているのは、青色光の光路の長さが他の色光の光路の長さよりも長いため、光の発散等による光利用効率の低下を防止するためである。実施形態に係るプロジェクター１０００においては、青色光の光路の長さが長いのでこのような構成とされているが、赤色光の光路の長さを長くして、リレーレンズ及び反射ミラーを赤色光の光路に用いる構成も考えられる。
【００６９】
液晶光変調装置４００Ｒ，４００Ｇ，４００Ｂは、照明装置１００からの光を画像情報に応じて変調する光変調装置であり、入射された色光を画像情報に応じて変調してカラー画像を形成する。なお、図示を省略したが、集光レンズ３００Ｒ，３００Ｇ，３００Ｂと液晶光変調装置４００Ｒ，４００Ｇ，４００Ｂとの間には、それぞれ入射側偏光板が介在配置され、液晶光変調装置４００Ｒ，４００Ｇ，４００Ｂとクロスダイクロイックプリズム５００との間には、それぞれ射出側偏光板が介在配置される。これら入射側偏光板、各液晶光変調装置及び射出側偏光板によって、入射された各色光の光変調が行われる。
各液晶光変調装置は、一対の透明なガラス基板に電気光学物質である液晶を密閉封入した透過型の液晶光変調装置であり、例えば、ポリシリコンＴＦＴをスイッチング素子として、与えられた画像信号に応じて、入射側偏光板から射出された１種類の直線偏光の偏光方向を変調する。
【００７０】
クロスダイクロイックプリズム５００は、射出側偏光板から射出された色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００７１】
クロスダイクロイックプリズム５００から射出されたカラー画像は、投写光学系６００によって投写され、スクリーンＳＣＲ上で画像を形成する。
【００７２】
次に、実施形態に係る光源装置１０及びプロジェクター１０００の効果を説明する。
【００７３】
実施形態に係る光源装置１０によれば、複数の固体光源２４を備えるため、従来の光源装置と同様に、高輝度の光を射出することが可能となる。
【００７４】
また、実施形態に係る光源装置１０によれば、複数のコリメーターレンズ３２の個数よりも多い複数の第１マイクロレンズ５１を有する第１マイクロレンズアレイ５０、複数の第１マイクロレンズ５１に対応する複数の第２マイクロレンズ６１を有する第２マイクロレンズアレイ６０及び第２マイクロレンズアレイ６０からの複数の部分光束を所定の微小重畳領域に重畳させる重畳光学系７０を有し、第１マイクロレンズアレイ５０は、複数の第１マイクロレンズ５１における凸面に接して配設され第１マイクロレンズ５１の屈折率と空気の屈折率との中間の屈折率を有する第１屈折力低減層５８をさらに有し、第２マイクロレンズアレイ６０は、複数の第２マイクロレンズ６１における凸面に接して配設され第２マイクロレンズ６１の屈折率と空気の屈折率との中間の屈折率を有する第２屈折力低減層６８をさらに有するインテグレーター光学系４０を備えるため、各屈折力低減層５８，６８の介在で「各マイクロレンズ５１，６１において必要とされる近軸曲率半径」が小さくなることによりインテグレーター光学系４０の製造が可能となり、その結果、所定の微小重畳領域において面内光強度分布が均一化された光を得ることが可能となる。
【００７５】
また、実施形態に係る光源装置１０によれば、上記のインテグレーター光学系４０を備えるため、光が入射する領域の一部に過大な熱的負荷がかかることがなくなり、よって、蛍光層等に多くの光を入射させることが可能となり、その結果、蛍光層等を備える場合にも一層高輝度の光を射出することが可能となる。
【００７６】
上記の効果により、実施形態に係る光源装置１０は、高輝度の光を射出することが可能であり、所定の微小重畳領域において面内光強度分布が均一化された光を得ることが可能であり、また、蛍光層等を備える場合にも一層高輝度の光を射出することが可能な光源装置となる。
【００７７】
また、実施形態に係る光源装置１０によれば、各マイクロレンズの近軸曲率半径は、１ｍｍ以下であるため、インテグレーター光学系の製造を十分に容易なものとすることが可能となる。
【００７８】
また、実施形態に係る光源装置１０によれば、各マイクロレンズの凸面は、「−１．１≦Ｋ≦−０．９」を満たすため、所定の微小重畳領域において面内光強度分布が一層均一化された光を射出することが可能となる。
【００７９】
また、実施形態に係る光源装置１０によれば、「０＜ｎｂ１−ｎａ１＜０．１」かつ「０＜ｎｂ２−ｎａ２＜０．１」の関係を満たすため、各マイクロレンズの近軸曲率半径を適切なものとしてインテグレーター光学系の製造を一層容易なものとすることが可能となる。
【００８０】
また、実施形態に係る光源装置１０によれば、固体光源２４は、半導体レーザーからなるため、このような半導体レーザーを高密度で集積することにより、小型で高出力な光源装置とすることが可能となる。
【００８１】
また、実施形態に係る光源装置１０によれば、微小重畳領域は、一辺１ｍｍの正方形に包含される大きさを有するため、微小重畳領域の面積を十分に小さいものとして、微小重畳領域が広すぎることに起因する光源装置の光利用効率の低下を抑制することが可能となる。
【００８２】
また、実施形態に係る光源装置１０によれば、第１マイクロレンズ５１及び第２マイクロレンズ６１の個数は、コリメーターレンズ３２の個数の１００倍以上あるため、コリメーターレンズ３２からの光を十分な数の部分光束に分割することが可能となり、その結果、所定の重畳位置において面内光強度分布がより一層均一化された光を得ることが可能となる。
【００８３】
また、実施形態に係る光源装置１０によれば、インテグレーター光学系４０からの光が重畳する位置に位置し、重畳光学系７０からの光の一部から蛍光を生成する蛍光層８４を備えるため、特定の色光を生成する固体光源２４を用いて、所望の色光を得ることが可能となる。
【００８４】
実施形態に係るプロジェクター１０００は、高輝度の光を射出することが可能であり、複数の固体光源を用いても、所定の重畳領域において面内光強度分布が均一化された光を得ることが可能であり、また、微小重畳領域に光を重畳させて一層高輝度な光を射出することが可能な実施形態に係る光源装置１０を備えるため、高輝度で明るさムラの少ない投写画像を投写可能なプロジェクターとなる。
【００８５】
［比較例、試験例１及び試験例２］
比較例、試験例１及び試験例２においては、第１マイクロレンズが第１屈折力低減層を有しない場合（比較例）と有する場合（試験例１及び試験例２）とを比較して、第１屈折力低減層を用いた場合には、第１マイクロレンズの近軸曲率半径を十分に小さくすることが可能であることを確認するためにシミュレーションを行った。
【００８６】
図６は、比較例における第１マイクロレンズ５１ａの側面図である。
図７は、試験例１における第１マイクロレンズ５１ｂ及び第１屈折力低減層５８ｂの側面図である。
図８は、試験例２における第１マイクロレンズ５１ｃ及び第１屈折力低減層５８ｃの側面図である。
【００８７】
以下の比較例、試験例１及び試験例２において、特に記載がない箇所においては、実施形態に係る光源装置１０と同様の構成（パラメーター）を有するとしてシミュレーションを行った。
【００８８】
比較例における第１マイクロレンズアレイ５０ａ（図示せず。白板ガラス（Ｂ２７０）からなる。）は、第１屈折力低減層を有しない。この場合においては、第１マイクロレンズ５１ａに必要とされる近軸曲率半径は１１．６ｍｍとなった。当該第１マイクロレンズ５１ａの凸面は、図６に示すように、ほとんど平面となった。
【００８９】
試験例１における第１マイクロレンズアレイ５０ｂ（図示せず。白板ガラス（Ｂ２７０）からなる。）は、第１屈折力低減層５８ｂ（光学ガラス（ＢＫ７）からなる。）を有する。第１マイクロレンズ５１ｂは、凸面が球面の平凸マイクロレンズである。この場合においては、第１マイクロレンズ５１ｂに必要とされる近軸曲率半径は０．１６ｍｍとなった。当該第１マイクロレンズ５１ｂの凸面においては、図７に示すように、明確な曲面が見て取れた。
【００９０】
試験例２における第１マイクロレンズアレイ５０ｃ（図示せず。白板ガラス（Ｂ２７０）からなる。）は、第１屈折力低減層５８ｃ（光学ガラス（ＢＫ７）からなる。）を有する。第１マイクロレンズ５１ｃは、凸面が「Ｋ１＝−０．９９」の放物面近似曲面（楕円面）の平凸マイクロレンズである。この場合においても、第１マイクロレンズ５１ｃに必要とされる近軸曲率半径は０．１６ｍｍとなった。当該第１マイクロレンズ５１ｃの凸面においても、図８に示すように、明確な曲面が見て取れた。
なお、試験例２における第１マイクロレンズ５１ｃは、実施形態における第１マイクロレンズ５１と同様の構成を有するものである。
【００９１】
シミュレーションの結果、上記図６〜図８に示すように、適切な屈折率を有する屈折力低減層を用いた場合には、第１マイクロレンズの近軸曲率半径を十分に小さくすることが可能であることが確認できた。
なお、上記比較例及び各試験例は、第２マイクロレンズについても同様に適用することが可能である。
【００９２】
［試験例３］
試験例３においては、本発明のインテグレーター光学系が、複数の部分光束を所定の微小重畳領域に正しく重畳させることが可能であることを確認するためにシミュレーションを行った。
【００９３】
図９は、試験例３におけるインテグレーター光学系４０ｄ（図示せず。）による重畳の様子を示す図である。図９においては、白色に近いほど入射する光の強度が高いことを表す。
以下の試験例３においては、特に記載がない箇所においては、実施形態に係る光源装置１０と同様の構成（パラメーター）を有するとしてシミュレーションを行った。
【００９４】
試験例３におけるインテグレーター光学系４０ｄは、上記試験例２における第１マイクロレンズアレイ５０ｃと、第１マイクロレンズ５１ｃに対応する複数の第２マイクロレンズ６１ｃ（図示せず。）を有する第２マイクロレンズアレイ６０ｃ（図示せず）と、複数の第２マイクロレンズ６１ｃからの複数の部分光束を所定の微小重畳領域に重畳させる重畳光学系７０ｄ（図示せず。）とを有するものとした。
【００９５】
第２マイクロレンズアレイ６０ｃは、第２マイクロレンズ６１ｃの凸面が第１マクロレンズアレイ５０ｃにおける第１マイクロレンズ５１ｃの凸面と反対側を向くように配置されていることと、第１屈折力低減層５８ｃの代わりに第２屈折力低減層６８ｃ（図示せず。）を有すること以外においては、第１マイクロレンズアレイ５０ｃと同様の構成を有するものとした。
第２屈折力低減層６８ｃは、複数の第２マイクロレンズ６１ｃにおける凸面に接して配設されていること以外は、第１屈折力低減層５８ｃと同様の構成を有するものとした。
【００９６】
重畳光学系７０ｄは、入射面は、曲率係数が−０．９１７、近軸曲率半径が３１．５４７ｍｍ、光軸に沿った厚みが２８ｍｍの楕円面であり、射出面は平面の非球面平凸レンズとした。重畳光学系７０ｄは、屈折率が１．５１６３３の光学ガラス（ＢＫ７）からなるものとした。重畳光学系７０ｄの焦点距離は６０ｍｍとした。
【００９７】
シミュレーションの結果、図９に示すように、上記したインテグレーター光学系４０ｄが、複数の部分光束を所定の微小重畳領域に正しく重畳させることが可能であることが確認できた。
【００９８】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００９９】
（１）上記実施形態において記載した各構成要素の寸法、個数、材質及び形状は例示であり、本発明の効果を損なわない範囲において変更することが可能である。
【０１００】
（２）上記実施形態においては、いわゆる格子配列で配列されている各マイクロレンズ（図４参照。）を用いたが、本発明はこれに限定されるものではない。図１０は、変形例１における第１マイクロレンズアレイ５３の部分拡大斜視図である。例えば、図１０に示すように、いわゆる千鳥配列で配列されている各マイクロレンズを用いてもよい。
【０１０１】
（３）上記実施形態においては、連結部４１により連結されている第１マイクロレンズアレイ５０及び第２マイクロレンズアレイ６０を用いたが、本発明はこれに限定されるものではない。図１１は、変形例２に係る光源装置１４の光学系を示す平面図である。例えば、図１１に示すように、連結部により連結されていない第１マイクロレンズアレイ及び第２マイクロレンズアレイを用いてもよい。
【０１０２】
（４）上記実施形態においては、第１マイクロレンズ５１の凸面と第２マイクロレンズ６１の凸面とが反対側を向くように配置されているインテグレーター光学系４０を用いたが、本発明はこれに限定されるものではない。図１２は、変形例３に係る光源装置１６の光学系を示す平面図である。例えば、図１２に示すように、第１マイクロレンズの凸面と第２マイクロレンズの凸面とが向かい合って配置されているインテグレーター光学系を用いてもよい。なお、上記のような場合には、第１屈折力低減層であり、かつ、第２屈折力低減層でもある（つまり、第１マイクロレンズアレイと第２マイクロレンズアレイとの間を充填する）１つの屈折力低減層を用いてもよい。
【０１０３】
（５）上記実施形態においては、別個の第２マイクロレンズアレイ６０と重畳光学系７０
とを用いたが、本発明はこれに限定されるものではない。図１３は、変形例４に係る光源装置１８の光学系を示す平面図である。例えば、図１３に示すように、第１マイクロレンズの凸面と第２マイクロレンズの凸面とが向かい合って配置されており、また、重畳光学系の入射面が平面である場合には、重畳光学系の平面に第２マイクロレンズアレイが形成されているものを用いてもよい。
【０１０４】
（６）上記実施形態においては、集光光学系からの光の一部から蛍光を生成する蛍光層８４を備え、蛍光を含む光を射出する光源装置１０を用いたが、本発明はこれに限定されるものではない。上記した蛍光層の代わりに、集光光学系からの光を拡散させながら通過させる透過型拡散手段を備え、固体光源が生成する光をそのまま射出する光源装置を用いてもよい。このような構成とすることにより、特定の色光を生成する固体光源からの色光をそのまま、様々な用途において高い光利用効率で利用することが可能となる。
【０１０５】
（７）上記実施形態においては、所定の位置に固体されている蛍光生成部８０を用いたが、本発明はこれに限定されるものではない。所定の回転軸の周りを回転可能に構成されている蛍光生成部又は透過型拡散手段を用いてもよい。
【０１０６】
（８）上記実施形態においては、固体光源及び蛍光層として、青色光を生成する固体光源２４と、青色光の一部から赤色光及び緑色光を含む蛍光を生成する蛍光層８４とを用いたが、本発明はこれに限定されるものではない。例えば、固体光源及び蛍光層として、紫色光又は紫外光を生成する固体光源と、紫色光又は紫外光から赤色光、緑色光及び青色光を含む色光を生成する蛍光層とを用いてもよい。
【０１０７】
（９）上記実施形態においては、「白色光として用いることができる光」を射出する光源装置１０としたが、本発明はこれに限定されるものではない。「白色光として用いることができる光」以外の光（例えば、赤色光及び緑色光からなる光や、特定の色光成分を多く含む光）を射出する光源装置としてもよい。
【０１０８】
（１０）上記実施形態においては、発光強度のピークが約４６０ｎｍの青色光を生成する固体光源２４を用いたが、本発明はこれに限定されるものではない。例えば、発光強度のピークが４４０ｎｍ〜４５０ｎｍの青色光を生成する固体光源を用いてもよい。このような構成とすることにより、蛍光体における蛍光生成効率を向上させることが可能となる。
【０１０９】
（１１）上記実施形態においては、固体光源として半導体レーザーからなる固体光源２４を用いたが、本発明はこれに限定されるものではない。例えば、固体光源として発光ダイオードからなる固体光源を用いてもよい。
【０１１０】
（１２）上記実施形態においては、透過型のプロジェクターを用いたが、本発明はこれに限定されるものではない。例えば、反射型のプロジェクターを用いてもよい。ここで、「透過型」とは、透過型の液晶光変調装置等のように光変調手段としての光変調装置が光を透過するタイプであることを意味しており、「反射型」とは、反射型の液晶光変調装置等のように光変調手段としての光変調装置が光を反射するタイプであることを意味している。反射型のプロジェクターにこの発明を適用した場合にも、透過型のプロジェクターと同様の効果を得ることができる。
【０１１１】
（１３）上記実施形態においては、プロジェクターの光変調装置として液晶光変調装置を用いたが、本発明はこれに限定されるものではない。光変調装置としては、一般に、画像情報に応じて入射光を変調するものであればよく、マイクロミラー型光変調装置等を用いてもよい。マイクロミラー型光変調装置としては、例えば、ＤＭＤ（デジタルマイクロミラーデバイス）（ＴＩ社の商標）を用いることができる。
【０１１２】
（１４）上記実施形態においては、３つの液晶光変調装置を用いたプロジェクターを例示して説明したが、本発明はこれに限定されるものではない。１つ、２つ又は４つ以上の液晶光変調装置を用いたプロジェクターにも適用可能である。
【０１１３】
（１５）本発明は、投写画像を観察する側から投写するフロント投写型プロジェクターに適用する場合にも、投写画像を観察する側とは反対の側から投写するリア投写型プロジェクターに適用する場合にも可能である。
【０１１４】
（１６）上記実施形態においては、本発明の光源装置をプロジェクターに適用した例について説明したが、本発明はこれに限定されるものではない。例えば、本発明の光源装置を他の光学機器（例えば、光ディスク装置、自動車のヘッドランプ、照明機器等。）に適用することもできる。
【符号の説明】
【０１１５】
１０，１４，１６，１８…光源装置、２０…固体光源アレイ、２２…基板、２４…固体光源、３０…コリメーターレンズアレイ、３２…コリメーターレンズ、４０，４４，４６，４８…インテグレーター光学系、４１…連結部、５０，５３，５４，５５…第１マイクロレンズアレイ、５１，５１ａ，５１ｂ，５１ｃ，５６…第１マイクロレンズ、５８，５８ｂ，５８ｃ，５９…第１屈折力低減層、６０，６４，６５，６７…第２マイクロレンズアレイ、６１，６６…第２マイクロレンズ、６８，６９…第２屈折力低減層、７０…重畳レンズ、８０…蛍光生成部、８２…透明部材、８４…蛍光層、９０…コリメーター光学系、９２…第１レンズ、９４…第２レンズ、１００…照明装置、１００ａｘ…照明光軸、１１０…レンズインテグレーター光学系、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０，２７０…リレーレンズ、３００Ｒ，３００Ｇ，３００Ｂ…集光レンズ、４００Ｒ，４００Ｇ，４００Ｂ…液晶光変調装置、５００…クロスダイクロイックプリズム、６００…投写光学系、１０００…プロジェクター、ＳＣＲ…スクリーン
【図１】
2012063488.tif 000003
【図２】
2012063488.tif 000004
【図３】
2012063488.tif 000005
【図４】
2012063488.tif 000006
【図５】
2012063488.tif 000007
【図６】
2012063488.tif 000008
【図７】
2012063488.tif 000009
【図８】
2012063488.tif 000010
【図１０】
2012063488.tif 000011
【図１１】
2012063488.tif 000012
【図１２】
2012063488.tif 000013
【図１３】
2012063488.tif 000014
【図９】
2012063488.tif 000015